(57)【要約】【課題】空気調和装置の快適性を向上し、かつ、省エネを推進すること。【解決手段】空気調和装置の室外機近傍に設けられ、外気温を検出する外気温検出部と、外気温の検出値に基づいて、空気調和装置の室内機に設定される設定温度を、空調負荷が低減する温度に調整する調整部２７とを備え、調整部２７は、室内機が設置される設置領域の方角に応じて、設定温度の調整量を異ならせる。また、室内機が設置される設置領域の室温と設定温度との温度差が、所定温度差より大きいと検出した回数、または所定温度差より大きいと継続して検出した所定期間が、閾値より大きくなったか否かを判定する判定部２３、２４と、判定部２３、２４により閾値より大きくなったと判定された場合に、警告を出力する警告部２２とを備え、調整部２７は、警告に基づいて設定温度を空調負荷が低減する温度に調整する。【選択図】図２
2017146045.tif 000002
【特許請求の範囲】
【請求項１】
空気調和装置の室外機近傍に設けられ、外気温を検出する外気温検出手段と、
前記外気温の検出値に基づいて、前記空気調和装置の室内機に設定される設定温度を、空調負荷が低減する温度に調整する調整手段と
を備える空気調和装置の制御装置。
【請求項２】
前記調整手段は、前記室内機が設置される設置領域の方角に応じて、前記設定温度の調整量を異ならせる請求項１に記載の空気調和装置の制御装置。
【請求項３】
前記室内機が設置される設置領域の室温を検出する室温検出手段と、
前記室温と前記設定温度との温度差が、所定温度差より大きいと検出した回数、または前記所定温度差より大きいと継続して検出した所定期間が、閾値より大きくなったか否かを判定する第１判定手段と、
前記第１判定手段により閾値より大きくなったと判定された場合に、警告を出力する警告手段とを備え、
前記調整手段は、前記警告に基づいて、前記設定温度を前記空調負荷が低減する温度に調整する請求項１または請求項２に記載の空気調和装置の制御装置。
【請求項４】
前記外気温が、所定外気温より大きいか否かを判定する第２判定手段を備え、
前記調整手段は、前記第２判定手段の判定結果に応じて、前記設定温度を空調負荷が低減する温度に調整し、
前記室外機が設置される環境に応じて、前記所定外気温を異ならせる請求項１から請求項３のいずれかに記載の空気調和装置の制御装置。
【請求項５】
前記室温と前記設定温度との温度差を比較判定するための前記所定温度差は、前記設置領域の大きさに応じて変更される請求項３に記載の空気調和装置の制御装置。
【請求項６】
前記調整手段は、前記空気調和装置の室内機に設定される風量を、前記設定温度の調整量に応じて決定する請求項１から請求項５のいずれかに記載の空気調和装置の制御装置。
【請求項７】
請求項１から請求項６のいずれかに記載の空気調和装置の制御装置と、
近傍に外気温を検出する外気温検出手段を有する室外機と、
室内機と
を備える空気調和装置。
【請求項８】
空気調和装置の室外機近傍において、外気温を検出する第１工程と、
前記外気温の検出値に基づいて、前記空気調和装置の室内機に設定される設定温度を、空調負荷が低減する温度に調整する第２工程と
を有する空気調和装置の制御方法。
【発明の詳細な説明】
【技術分野】
【０００１】
本発明は、空気調和装置の制御装置、及びそれを備えた空気調和装置、並びに空気調和装置の制御方法に関するものである。
【背景技術】
【０００２】
空気調和装置の冷暖房運転において、空気調和装置の設置環境に対して不適切な設定で運転されていること、すなわち、冷房運転時に空気調和装置に設定された設定温度が低すぎる或いは暖房運転時に設定温度が高すぎる等の状況によって運転されることにより、空気調和装置が設定温度に到達するまでの時間が長くなるということがある。また、空調対象領域に設けられる窓やドアを開けた状態で空気調和装置が運転されることによって、いつまでたっても設定温度に到達しないということがある。
【０００３】
こうした運転は、空気調和装置の消費電力を多くし、空気調和装置を長時間にわたって最大能力で運転させることにより装置の寿命を短くしてしまうという問題があるため、これらを防ぐ運転が提案されている。
下記特許文献１では、室内の検出温度Ｓｔ１と設定温度ｓｏとを比較し、設定温度ｓｏを所定量Δｓ１だけ室内の検出温度Ｓｔ１に近い温度に自動的に補正して補正後の設定温度ｓ１を用いる技術が記載されている。
下記特許文献２では、室温センサによって検出された室温検出値と、室内温度設定手段に設定された設定温度との温度差が設定値ΔＴａｌｍ以上の状態が設定時間Ｈａｌｍ継続したとき、過負荷状態と判定してアラームを出力し、アラームをオペレーター等に警報する技術が記載されている。
【先行技術文献】
【特許文献】
【０００４】
【特許文献１】特開２００１−３０４６４８号公報
【特許文献２】特開２０１３−１９０１４６号公報
【発明の概要】
【発明が解決しようとする課題】
【０００５】
しかしながら、上記特許文献１の方法では、室温と設定温度との差が大きければ大きいほど補正を繰り返さなければならず、室温が設定温度に到達するまでの時間が長くかかり、電力を多く消費することに繋がっていた。また、上記特許文献２は室温を一定に保つ環境におかれる空調システムであり、設置環境や冷暖房の運転モードに応じた制御を行うことはできなかった。
【０００６】
本発明は、このような事情に鑑みてなされたものであって、冷暖房の快適性を向上でき、かつ、省エネを推進できる空気調和装置の制御装置、及びそれを備えた空気調和装置、並びに空気調和装置の制御方法を提供することを目的とする。
【課題を解決するための手段】
【０００７】
上記課題を解決するために、本発明は以下の手段を採用する。
本発明は、空気調和装置の室外機近傍に設けられ、外気温を検出する外気温検出手段と、前記外気温の検出値に基づいて、前記空気調和装置の室内機に設定される設定温度を、空調負荷が低減する温度に調整する調整手段とを備える空気調和装置の制御装置を提供する。
【０００８】
本発明によれば、空気調和装置の室外機近傍で検出された外気温の検出値に基づいて、空気調和装置の室内機の設定温度が、空調負荷を低減する温度に変更される。夏季のように外気温が高ければ空気調和装置が空調する室内の室内温度は高くなる傾向であり、冬季のように外気温が低ければ室内の室内温度は低くなる傾向であり、外気温と設定温度との差が大きい程空調負荷が大きくなる。
本発明は、空気調和装置の空調負荷に直接影響するパラメータである外気温に応じて、空調負荷が低減する温度に設定温度を変更することにしたので、室温が設定温度に到達するまでの時間を低減し、空気調和装置による快適性を向上することができる。
【０００９】
また、外気温に応じて設定温度を変更するので、室温と設定温度との差が大きく空気調和装置の設置環境に不適切な設定で空気調和装置を運転している場合や、空気調和装置の設置環境の窓やドアを開けた状態で空気調和装置を運転することにより生じる不必要な空調を減らすことができ、省エネを推進する。
なお、設置環境に不適切な設定とは、例えば、冷房運転時に設定温度が極端に低い設定や、暖房運転時に設定温度が極端に高い設定を含む。
【００１０】
上記空気調和装置の制御装置の前記調整手段は、前記室内機が設置される設置領域の方角に応じて、前記設定温度の調整量を異ならせてもよい。
【００１１】
室内の温度変化は、夏季のような冷房運転時には部屋の方角が南側か否か、冬季のような暖房運転時には部屋の北側か否かに応じて異なるので、室内機が設置される設置領域の方角に応じて設定温度の調整量を異ならせることにより、より快適性を向上させることができ、省エネを推進する。
【００１２】
前記空気調和装置の制御装置は、前記室内機が設置される設置領域の室温を検出する室温検出手段と、前記室温と前記設定温度との温度差が、所定温度差より大きいと検出した回数、または前記所定温度差より大きいと継続して検出した所定期間が、閾値より大きくなったか否かを判定する第１判定手段と、前記第１判定手段により閾値より大きくなったと判定された場合に、警告を出力する警告手段とを備え、前記調整手段は、前記警告に基づいて、前記設定温度を前記空調負荷が低減する温度に調整してもよい。
【００１３】
このような構成によれば、室内機が設置される設置領域の室温と設定温度との温度差が所定温度差より大きくなった回数が閾値より大きくなった場合、或いは、所定温度差より大きいと継続して検出した所定期間が閾値より大きくなった場合に、警告が出力され、警告に基づいて、設定温度が空調負荷を低減する温度に調整される。
これにより、室温と設定温度との温度差が縮まっていない状況を確実に捉えることができる。また、警告が所定回数（所定期間）を超えないうちに、室温と設定温度の温度差が小さくなるような場合には、設定温度の自動調整はされないので、空気調和装置による快適性を維持することに繋がる。
【００１４】
上記空気調和装置の制御装置は、前記外気温が、所定外気温より大きいか否かを判定する第２判定手段を備え、前記調整手段は、前記第２判定手段の判定結果に応じて、前記設定温度を空調負荷が低減する温度に調整し、前記室外機が設置される環境に応じて、前記所定外気温を異ならせてもよい。
【００１５】
設定温度を調整するか否かを判定するための所定外気温を、室外機が設置される環境に応じた閾値に設定することにより、空気調和装置の快適性の向上につながる。
【００１６】
上記空気調和装置の制御装置において、前記室温と前記設定温度との温度差を比較判定するための前記所定温度差は、前記設置領域の大きさに応じて変更されてもよい。
【００１７】
設置領域の大きさが大きいほど空調負荷が大きくなり、設置領域の大きさが小さいほど空調負荷が小さくなることに着目し、設置領域の大きさに応じて所定温度差を異ならせることにより、設置領域に応じた設定を適用でき、空気調和装置の快適性向上につながる。なお、設置領域の大きさとは、室内機が設置され、空調対象となる部屋の大きさである。
【００１８】
上記空気調和装置の制御装置の前記調整手段は、前記空気調和装置の室内機に設定される風量を、前記設定温度の調整量に応じて決定してもよい。
【００１９】
設定温度の調整は空調負荷を低減する温度に設定するので、冷房運転であれば設定温度を上げる方向に調整され、暖房運転であれば設定温度を下げる方向に制御することになる。風量を維持すると設定温度と室温の温度差が広がるので、設定温度の調整量に応じて風量を調整することで、空気調和装置の快適性向上及び省エネ推進につなげる。
【００２０】
本発明は、上記いずれかに記載の空気調和装置の制御装置と、近傍に外気温を検出する外気温検出手段を有する室外機と、室内機とを備える空気調和装置を提供する。
【００２１】
本発明は、空気調和装置の室外機近傍において、外気温を検出する第１工程と、前記外気温の検出値に基づいて、前記空気調和装置の室内機に設定される設定温度を、空調負荷が低減する温度に調整する第２工程とを有する空気調和装置の制御方法を提供する。
【発明の効果】
【００２２】
本発明は、空気調和装置の冷暖房の快適性を向上し、かつ、省エネを推進できるという効果を奏する。
【図面の簡単な説明】
【００２３】
【図１】本発明に係る空調システムの概略構成図である。
【図２】本発明に係る制御装置の機能ブロック図である。
【図３】冷房運転時の設定温度の調整パターン例である。
【図４】暖房運転時の設定温度の調整パターン例である。
【図５】本発明に係る制御装置の動作フローである。
【図６】本発明に係る制御装置の動作フローの続きである。
【図７】本発明に係る制御装置の動作フローの続きである。
【発明を実施するための形態】
【００２４】
以下に、本発明の実施形態に係る空気調和装置の制御装置、及びそれを備えた空気調和装置、並びに空気調和装置の制御方法について図面を参照して説明する。
以下、本実施形態について、図１を用いて説明する。図１には、本実施形態に係る空調システムの概略構成図が示されている。
空調システム１は、例えば部屋数を多く備えるビルやホテル等に設置され、遠隔から集中管理される空気調和装置２Ａ，２Ｂを備えている。なお、本実施形態では、空気調和装置が２台設置された場合を例に挙げて説明するが、空調システム１に設けられる空気調和装置の台数は特に限定されない。また、以下において各空気調和装置を区別する場合は空気調和装置２Ａ，２Ｂのようにアルファベットを付して説明するが、特に区別しない場合には、空気調和装置２として記す。また、他の部についても同様に、特に区別しない場合には、アルファベットを省略して記す。
【００２５】
空気調和装置２は、空調対象領域である室内側に設置される室内機３Ａ，３Ｂと、屋外側に設置される室外機４Ａ，４Ｂと、その間を接続する冷媒配管および内外通信線５Ａ，５Ｂと、リモコン通信線６Ａ，６Ｂを介して室内機３Ａ，３Ｂに接続されるリモコン７Ａ，７Ｂと、制御装置１０Ａ，１０Ｂとを備えている。
また、室内機３Ａ，３Ｂは、通信線８Ａ，８Ｂを介して遠隔制御装置９と接続され、リモコン７Ａ，７Ｂからだけでなく、遠隔制御装置９からも遠隔操作されるようになっている。
リモコン７Ａ，７Ｂは、表示装置１４Ａ，１４Ｂを備えており、設定温度の情報、設定温度の調整に関する表示（詳細は後述する）、及び警告（詳細は後述する）等を表示する。
遠隔制御装置９は、空調システム１を統括する集中制御室や監視装置等に設けられるものであり、通信線８Ａ，８Ｂを介して各室内機３と接続されており、適宜各室内機３を制御する制御指令を出力したり、各室内機３から取得する信号を取得する。例えば、遠隔制御装置９は、表示装置１４Ｃを備えており、警告（詳細は後述する）を表示する。
【００２６】
室外機４Ａ，４Ｂは、近傍に外気温センサ（外気温検出手段）２０Ａ，２０Ｂを備えている。
外気温センサ２０は、室外機４の近傍における外気温を検出し、外気温の検出値を対応する室内機３の制御装置１０に出力する。
【００２７】
制御装置１０は、例えば、図示しないＣＰＵ（中央演算装置）、ＲＡＭ（Ｒａｎｄｏｍ  Ａｃｃｅｓｓ  Ｍｅｍｏｒｙ）、及びコンピュータ読み取り可能な記録媒体等から構成されている。後述の各種機能を実現するための一連の処理の過程は、プログラムの形式で記録媒体等に記録されており、このプログラムをＣＰＵがＲＡＭ等に読み出して、情報の加工・演算処理を実行することにより、後述の各種機能が実現される。
具体的には、制御装置１０は、室温センサ１１Ａ，１１Ｂと、風量設定部１２Ａ，１２Ｂと、室内温度設定部１３Ａ，１３Ｂとを備えている。
【００２８】
室温センサ１１は、吸込み空気温度に基づいて室内温度（以下「室温」という）Ｔｉ（ＴｉＣ、ＴｉＨ）を検出し、検出した室温Ｔｉ（ＴｉＣ、ＴｉＨ）の検出値を室内温度設定部１３に出力する。
風量設定部１２は、リモコン７及び遠隔制御装置９から入力される指示に基づいて風量を設定する。また、風量設定部１２は、室内温度設定部１３により設定された設定温度の調整量に併せて、風量を調整する。
【００２９】
室内温度設定部１３は、リモコン７からの入力による設定温度Ｔｓ（冷房に対する設定温度をＴｓＣとし、暖房に対する設定温度をＴｓＨとする）、室温センサ１１で検出された室温Ｔｉ（ＴｉＣ，ＴｉＨ）の検出値、及び外気温センサ２０で検出された外気温の検出値等が取得されるとともに、以下の部によって設定温度の調整量が決定され、設定温度を調整する。
室内温度設定部１３は、図２に示されるように、温度差判定部２１と、警告部（警告手段）２２と、時間判定部（第１判定手段）２３と、回数判定部（第１判定手段）２４と、外気温判定部（第２判定手段）２５と、格納部２６と、調整部（調整手段）２７とを備えている。
【００３０】
温度差判定部２１は、室温Ｔｉ（ＴｉＣ，ＴｉＨ）と設定温度Ｔｓ（ＴｓＣ，ＴｓＨ）との温度差が、所定温度差（ΔＴｃ，ΔＴｈ）より大きいか否かを判定する。所定温度差より大きい場合には、その旨を警告部２２に出力する。
所定温度差（ΔＴｃ，ΔＴｈ）の大きさは、部屋の大きさに応じて変更するとよい。例えば、設置領域（例えば、部屋）の大きさが大きいほど空調負荷が大きくなり、設置領域の大きさが小さいほど空調負荷が小さくなる。そのため、部屋（設置領域）の大きさに応じて所定温度差（ΔＴｃ，ΔＴｈ）を異ならせることにより、部屋に応じた温度差を設定でき、空気調和装置の快適性向上につながる。
【００３１】
警告部２２は、室温Ｔｉ（ＴｉＣ，ＴｉＨ）と設定温度Ｔｓ（ＴｓＣ，ＴｓＨ）との温度差が所定温度差（ΔＴｃ，ΔＴｈ）より大きい状態が第１所定期間継続した場合には、リモコン７及び遠隔制御装置９に警告を表示させる。
また、警告部２２は、第２所定期間継続して警告が検出された場合、或いは、第１所定回数以上継続して警告が検出された場合に、室内機３の設定温度及び風量を調整する調整量を演算する指令を出力する。
また、警告を表示するまでの第１所定期間は、空気調和装置２の設定内容や室内機３の設置状況に応じて設定されるとよい。例えば、空気調和装置２の設定内容とは、室外温度、室内温度、室内機３の設定温度、室内機３の運転モード、風量、風向等を含む。また、室内機３の設置状況とは、部屋の広さ、部屋の向き（東西南北等）を含み、予め入力装置等を介して室内機３に入力されているものとする。
【００３２】
また、第２所定期間より長い第３所定期間を設定しておき、警告部２２は、第３所定期間継続して警告が継続して検出された場合には、室内機３を強制的にサーモオフする又は停止する。また、第１所定回数より多い第２所定回数の警告が検出された場合には、室内機３を強制的にサーモオフする又は停止する。
警告部２２から警告を表示させる指令を取得したリモコン７及び遠隔制御装置９は、それぞれ設けられる表示装置１４Ａ，１４Ｂ，１４Ｃを介して、取得した警告に基づく表示を行う。
【００３３】
時間判定部２３は、室温Ｔｉ（ＴｉＣ，ＴｉＨ）と設定温度Ｔｓ（ＴｓＣ，ＴｓＨ）との温度差が所定温度差（ΔＴｃ，ΔＴｈ）より大きい状態が、所定期間（第１所定期間、第２所定期間、第３所定期間）継続したか否かを判定し、所定期間継続した場合にはその旨を出力する。
回数判定部２４は、室温Ｔｉ（ＴｉＣ，ＴｉＨ）と設定温度Ｔｓ（ＴｓＣ，ＴｓＨ）との温度差が所定温度差（ΔＴｃ，ΔＴｈ）より大きくなった回数が計数されており、該回数が所定回数（第１所定回数、第２所定回数）より大きくなったか否かを判定し、所定回数を超過したと判定した場合にはその旨を出力する。
なお、本実施形態においては、時間判定部２３と回数判定部２４を第１判定手段として両方備えることとして説明しているが、これに限定されず、時間判定部２３または回数判定部２４のうちどちらか一方のみによって警告の判定を行うこととしてもよい。
【００３４】
外気温判定部２５は、外気温センサ２０で検出された外気温の検出値と、室温Ｔｉに基づいて決定される閾値との大小関係を判定し、判定結果を調整部２７に出力する。例えば、外気温判定部２５は、冷房運転時には、外気温が、所定外気温（室温ＴｉＣ＋所定外気温差ΔＴｏＣ）と比較され、所定外気温（室温ＴｉＣ＋所定外気温差ΔＴｏＣ）より大きいか否かを判定する。また、外気温判定部２５は、暖房運転時には、外気温が、（室温ＴｉＨ−所定外気温差ΔＴｏＨ）と比較され、所定外気温（室温ＴｉＨ−所定外気温差ΔＴｏＨ）より小さいか否かを判定する。
【００３５】
所定外気温差ΔＴｏＣ及びΔＴｏＨの値は、室外機４が設置される環境に応じて設定されるとよい。これは、１日を通して日射量の変動が大きくなる位置に設置された室外機４であれば、その近傍の外気温センサ２０で検出される外気温も変動が大きくなり、外気温の変動に伴って室温Ｔｉの変動も大きくなるからである。
【００３６】
格納部２６は、リモコン７から取得した設定温度Ｔｓの情報、閾値として与えられている温度情報、比較判定するための所定温度差の情報等を備えている。例えば、冷房運転時の基準となる設定温度ＴｓＣ、冷房運転時の基準より所定温度低い設定温度（ＴｓＣ−ΔＴｓＣ）、暖房運転時の基準となる設定温度ＴｓＨ、暖房運転時の基準より所定温度高い設定温度（ＴｓＨ＋ΔＴｓＨ）、冷房運転時の基準とする室温ＴｉＣ、冷房運転時の基準よりも所定温度高い室温（ＴｉＣ＋ΔＴｉＣ）、暖房運転時の基準とする室温ＴｉＨ、暖房運転時の基準よりも所定温度低い室温（ＴｉＨ−ΔＴｉＨ）、冷房運転時の外気温の閾値（ＴｉＣ＋ΔＴｏＣ）、暖房運転時の外気温の閾値（ＴｉＨ−ΔＴｏＨ）、演算により得られた設定温度及び風量の調整量の値、及び部屋の方角の情報等が格納されている。
【００３７】
調整部２７は、外気温の検出値に基づいて、空気調和装置２の室内機３に設定される設定温度を、空調負荷が低減する温度に調整する。また、調整部２７は、室内機３が設置される設置領域の方角に応じて、設定温度の調整量を異ならせる。
ここで、設置領域とは、空調対象領域であり、具体的には部屋である。例えば、夏季のように外気温が比較的高い場合には南の方角の部屋が、室内温度が高温になる傾向があり、冷房運転時には最も空調負荷が大きくなるので、夏季の南の部屋は、夏季の南以外の部屋より設定温度の調整量（空調負荷の低減量）を大きくする。
また、冬季のように外気温が比較的低い場合には北の方角の部屋が、室内温度が低温になる傾向があり、暖房運転時には最も空調負荷が大きくなるので、冬季の北の部屋は、冬季の北以外の部屋より設定温度の調整量（空調負荷の低減量）を大きくする。
【００３８】
より具体的に、調整される設定温度について、図３及び図４を用いて説明する。
図３は、冷房運転時における調整パターンを説明するための設定温度と室温と外温とそれぞれに対応する対策を対応付けた図である。
「パターン」の列は、便宜上付した調整パターンの番号Ｃ０、Ｃ１・・・Ｃ６を示している。以下では、冷房運転時の南以外の部屋は「北の部屋」とし、暖房運転時の北以外の部屋は「南の部屋」であることを例に挙げて説明する。
【００３９】
「設定温度」の列は、基準とする設定温度をＴｓＣ（例えば、２８℃）とし、設定温度を基準の設定温度ＴｓＣとする場合や、基準より所定温度低い設定温度（ＴｓＣ−ΔＴｓＣ）以下となる場合を示している。例えば、リモコン等を介してユーザが基準よりも低い設定温度を設定した場合には、基準より所定温度低い「設定温度（ＴｓＣ−ΔＴｓＣ）以下」が設定される。
「室温」の列は、基準とする室温をＴｉＣとし、室温を基準とする室温ＴｉＣとする場合や、基準よりも所定温度高い室温（ＴｉＣ＋ΔＴｉＣ）以上となる場合を示している。
「外温」の列は、外気温を示しており、基準の室温ＴｉＣに基づいて設定される所定外気温（ＴｉＣ＋ΔＴｏＣ）を閾値とすることを示している。
【００４０】
パターンＣ０は、設定温度を基準値であるＴｓＣとし、室温が基準となるＴｉＣとし、外気温は（ＴｉＣ＋ΔＴｏＣ）未満であり、部屋が南向きである場合を通常冷房とし、設定温度の調整はしない。
パターンＣ１は、設定温度が（ＴｓＣ−ΔＴｓＣ）以下に設定され、基準より低く設定されており、室温が基準のＴｉＣとし、外気温が（ＴｉＣ＋ΔＴｏＣ）未満であり、部屋が南向きである場合を示しており、パターンＣ１の場合は、設定温度を所定設定温度ΔＴｃｓ１上げる調整を行う。また、設定温度と室温との温度差がこれ以上大きくならないよう設定温度の調整に併せて、風量を調整量ΔＦｃｓ１上げる設定をする。
【００４１】
パターンＣ２は、設定温度を基準値であるＴｓＣとし、室温が所定温度高い室温（ＴｉＣ＋ΔＴｉＣ）以上とし、外気温が（ＴｉＣ＋ΔＴｏＣ）未満であり、部屋が南向きであることを示している。パターンＣ２の場合は、設定温度を所定設定温度ΔＴｃｓ２上げる調整をする。また、設定温度と室温との温度差がこれ以上大きくならないよう設定温度の調整に併せて、風量を調整量ΔＦｃｓ２上げる設定をする。
パターンＣ３は、設定温度を基準値であるＴｓＣとし、室温が所定温度高い室温（ＴｉＣ＋ΔＴｉＣ）以上とし、外気温が（ＴｉＣ＋ΔＴｏＣ）以上であり、部屋が南向きであることを示している。パターンＣ３の場合は、パターンＣ２と比較して外気温が高い場合を示しているので、設定温度をパターンＣ２のときの調整量ΔＴｃｓ２より大きい調整量であるΔＴｃｓｏとする。また、設定温度を上げる調整をしている分、設定温度と室温との温度差が大きくなりすぎないよう設定温度の調整に併せて、風量をパターンＣ２の場合より上げ、風量を調整量ΔＦｃｓｏ（＞ΔＦｃｓ２）上げる設定をする。また、パターンＣ３は、パターンＣ１〜Ｃ６の中で最も空調負荷が大きいので、設定温度及び風量の調整量Δが最も大きくなっている。
【００４２】
パターンＣ４は、設定温度が（ＴｓＣ−ΔＴｓＣ）以下で基準値よりも低く設定され、室温が基準のＴｉＣとし、外気温が（ＴｉＣ＋ΔＴｏＣ）未満であり、部屋が北向きであることを示している。パターンＣ４の場合は、パターンＣ１と比較して部屋の向きが異なっている。冷房時、つまり、夏季のように室外が高温の場合には、南向きの部屋よりも北向きの部屋の方が、温度が低くなる傾向があるので、南向きより北向きの方が空調負荷は小さい。そのため、パターンＣ４では、パターンＣ１と比較して設定温度の上げ幅を小さくし、設定温度をΔＴｃｎ１（＜ΔＴｃｓ１）だけ上げる調整をする。また、設定温度の調整に併せて、風量についてパターンＣ１の場合より上げ幅を小さくし、風量を調整量ΔＦｃｎ１（＜ΔＦｃｓ１）上げる設定をする。
【００４３】
パターンＣ５は、設定温度が基準値ＴｓＣであり、室温は（ＴｉＣ＋ΔＴｉＣ）以上とし、外気温は（ＴｉＣ＋ΔＴｏＣ）未満とし、部屋が北向きであることを示している。パターンＣ５の場合は、パターンＣ２と比較して部屋の向きが異なっている。上述したように冷房時には南向きより北向きの方が空調負荷は小さいので、パターンＣ５では、パターンＣ２と比較して設定温度の上げ幅を小さくし、ΔＴｃｎ２（＜ΔＴｃｓ２）だけ設定温度を上げる調整をする。また、設定温度の調整に併せて、風量についてパターンＣ２の場合より上げ幅を小さくし、風量を調整量ΔＦｃｎ２（＜ΔＦｃｓ２）上げる設定をする。
【００４４】
パターンＣ６では、設定温度が基準値ＴｓＣであり、室温は（ＴｉＣ＋ΔＴｉＣ）以上とし、外気温は（ＴｉＣ＋ΔＴｏＣ）以上とし、部屋が北向きであることを示している。パターンＣ６の場合は、パターンＣ３と比較して部屋の向きが異なっており、かつ、パターンＣ５と比較すると外気温はパターンＣ５より高くなっている。これらのことから、パターンＣ６は、パターンＣ３の設定温度の上げ幅よりも小さいが、パターンＣ５の設定温度の上げ幅よりも大きくなるように、設定温度を（ΔＴｃｎ２＜）ΔＴｃｎｏ（＜ΔＴｃｓｏ）だけ設定温度を上げる調整をする。また、設定温度の調整に併せて、風量を調整量（ΔＦｃｎ２＜）ΔＦｃｎｏ（＜ΔＦｃｓｏ）上げる設定をする。
【００４５】
続いて、図４を用いて、暖房運転時における調整パターンを説明する。
図４は、暖房運転時における調整パターンを説明するための設定温度と室温と外温とそれぞれに対応する対策を対応付けた図である。
「設定温度」の列は、基準とする設定温度をＴｓＨとし、設定温度を基準の設定温度ＴｓＨにする場合や、基準より所定温度高い「設定温度（ＴｓＨ＋ΔＴｓＨ）以上」とする場合を示している。例えば、リモコン等を介してユーザが基準よりも高い設定温度を設定した場合に「設定温度（ＴｓＨ＋ΔＴｓＨ）以上」が設定される。
「室温」の列は、基準とする室温をＴｉＨとし、室温を基準の室温ＴｉＨとする場合や、基準よりも所定温度低い「室温（ＴｉＨ−ΔＴｉＨ）以下」とする場合を示している。
「外温」の列は、外気温を示しており、基準の室温ＴｉＨに基づいて設定される所定外気温（ＴｉＨ−ΔＴｏＨ）を閾値とすることを示している。
【００４６】
パターンＨ０は、設定温度が基準値であるＴｓＨとし、室温が基準となるＴｉＨとし、外気温は（ＴｉＨ−ΔＴｏＨ）以上であり、部屋が南向きである場合を通常暖房とし、設定温度の調整はしない。
パターンＨ１は、設定温度が（ＴｓＨ＋ΔＴｓＨ）以上に設定され、基準より高く設定されており、室温が基準のＴｉＨとし、外気温が（ＴｉＨ−ΔＴｏＨ）以上であり、部屋が南である場合を示している。パターンＨ１の場合は、設定温度を所定設定温度ΔＴｈＳ１下げる調整を行う。また、設定温度と室温との温度差がこれ以上大きくならないよう設定温度の調整に併せて、風量を調整量ΔＦｈｓ１上げる設定をする。
【００４７】
パターンＨ２は、設定温度を基準値であるＴｓＨとし、室温が所定温度低い室温（ＴｉＨ−ΔＴｉＨ）以下とし、外気温が（ＴｉＨ−ΔＴｏＨ）以上であり、部屋が南向きであることを示している。パターンＨ２の場合は、設定温度を所定設定温度ΔＴｈｓ２下げる調整をする。また、設定温度と室温との温度差がこれ以上大きくならないよう設定温度の調整に併せて、風量を調整量ΔＦｈｓ２上げる設定をする。
パターンＨ３は、設定温度を基準値であるＴｓＨとし、室温が所定温度低い室温（ＴｉＨ−ΔＴｉＨ）以下とし、外気温が（ＴｉＨ−ΔＴｏＨ）未満であり、部屋が南向きであることを示している。パターンＨ３の場合は、パターンＨ２と比較して外気温が低い場合を示しているので、設定温度をパターンＨ２のときの調整量ΔＴｈｓ２より大きい調整量である（ΔＴｈｓ２＜）ΔＴｈｓｏ（＜ΔＴｈｎｏ）だけ下げる。また、設定温度の調整に併せて、風量についてパターンＨ２の場合より調整量を上げ、風量を調整量（ΔＦｈｓ２＜）ΔＦｈｓｏ（＜ΔＦｈｎｏ）上げる。
【００４８】
また、以下で説明するパターンＨ６と比較すると、パターンＨ３は、部屋の向きだけが異なっている。暖房運転時、北向きの部屋より南向きの部屋の方が、空調負荷が小さくなるのでパターンＨ３の調整量ΔＴｈｓｏは、パターンＨ６で調整する設定温度の調整量ΔＴｈｎｏよりは小さくてよい。風量についても同様で、パターンＨ３の風量の調整量ΔＦｈｓｏは、パターンＨ６の風量調整量ΔＦｈｎｏより小さくてよい。
【００４９】
パターンＨ４は、設定温度が（ＴｓＨ＋ΔＴｓＨ）以上で基準値よりも高く設定され、室温が基準のＴｉＨとし、外気温が（ＴｉＨ−ΔＴｏＨ）以上であり、部屋が北向きであることを示している。パターンＨ４の場合は、パターンＨ１と比較して部屋の向きが異なっている。暖房時、つまり、冬季のように室外が低温の場合には、南向きの部屋よりも北向きの部屋の方が、温度が低くなる傾向があるので、南向きより北向きの方が空調負荷は大きい。そのため、パターンＨ４では、パターンＨ１と比較して設定温度の下げ幅を大きくし、設定温度をΔＴｈｎ１（＞ΔＴｈｓ１）だけ下げる調整をする。また、設定温度の調整に併せて、風量についてパターンＨ１の場合より下げ幅を大きくし、風量を調整量ΔＦｈｎ１（＞ΔＦｈｓ１）上げる設定をする。
【００５０】
パターンＨ５は、設定温度が基準となる設定温度ＴｓＨであり、室温は（ＴｉＨ−ΔＴｉＨ）以下とし、外気温は（ＴｉＨ−ΔＴｏＨ）以上とし、部屋が北向きであることを示している。パターンＨ５の場合は、パターンＨ２と比較して部屋の向きが異なっている。上述したように暖房時には南向きより北向きの方が空調負荷は大きいので、パターンＨ５では、パターンＨ２と比較して設定温度の下げ幅を大きくし、ΔＴｈｎ２（＞ΔＴｈｓ２）だけ設定温度を下げる調整をする。また、設定温度の調整に併せて、風量についてパターンＨ２の場合より下げ幅を大きくし、風量を調整量ΔＦｈｎ２（＞ΔＦｈｓ２）上げる設定をする。
【００５１】
パターンＨ６では、設定温度が基準となる設定温度ＴｓＨであり、室温は（ＴｉＨ−ΔＴｉＨ）以下とし、外気温は（ＴｉＨ−ΔＴｏＨ）未満とし、部屋が北向きであることを示している。パターンＨ６の場合は、パターンＨ３と比較して部屋の向きが異なっており、かつ、パターンＨ５と比較すると外気温はパターンＨ５より低くなっている。このように、パターンＨ６は、パターンＨ１〜Ｈ６の中で最も空調負荷が大きいので、パターンＨ６は、パターンＨ３の設定温度の上げ幅よりも大きく、パターンＨ５の設定温度の上げ幅よりも大きくなるように、設定温度を（ΔＴｈｎ２＜）ΔＴｈｎｏ下げる調整をする。
また、設定温度の調整に併せて、風量を調整量（ΔＦｈｎ２＜）ΔＦｈｎｏ上げる設定をする。
【００５２】
なお、図２及び図３の説明では、部屋の向きが冷房運転時の「南向き」と「北向き」、暖房運転時の「南向き」と「北向き」で説明しているが、方角はこれに限定されない。例えば、冷房運転時には最も空調負荷が大きくなる「南向き」と、「南向き以外」、暖房運転時には最も空調負荷が大きくなる「北向き」と「北向き以外」として設定してもよい。
【００５３】
調整部２７は、設定温度と室温との差が１回所定温度差ΔＴｃ（ΔＴｈ）を上回った場合に即座に設定温度の調整を行うのでなく、所定温度差（ΔＴｃ，ΔＴｈ）を上回ったことの一度の検出を警告１回とみなし、警告回数や警告検出期間をモニタして、閾値を上回った場合に、空調負荷が低減する温度に設定温度の調整を行うとよい。
これにより、室温と設定温度との温度差が継続して縮まっていない状況を確実に捉えることができる。また、警告が所定回数を超えないうちに温度差が小さくなるような場合には、設定温度の調整はされないので、空気調和装置２による快適性を維持することができる。
【００５４】
このように各部の作用により決定された設定温度、或いは設定温度の調整量の情報は、リモコン７等の表示装置を介してユーザが識別可能に提示される。
【００５５】
冷房運転時に設定温度が低すぎる或いは暖房運転時に設定温度が高すぎるといった設置環境に不適切な設定で空気調和装置を運転している場合には、上述したように設定温度と風量を調整することによって室温が設定温度に到達するまでの時間を低減し、快適性を向上することができる。また、部屋の窓を開けたままの状態で空気調和装置の運転をして電力を無駄にしているような場合には、設定温度と風量を調整することによって、不必要な空調を減らすことができ、省エネを推進できる。
【００５６】
以下に、本実施形態に係る空気調和装置の制御装置１０の作用を図５から図７を用いて説明する。
空気調和装置２の運転が開始されると、暖房運転か否かが判定される（図５のステップＳＡ１）。暖房運転の場合には、設定温度と室温との差が、所定温度差ΔＴｈより大きいか否かが判定される（図５のステップＳＡ２）。設定温度と室温との差が、所定温度差ΔＴｈ以下の場合には、ステップＳＡ１に戻る。設定温度と室温との差が、所定温度差ΔＴｈより大きい場合には、警告回数を１インクリメントするとともに、警告回数が所定回数を上回ったか否かが判定される（図５のステップＳＡ３）。警告回数が所定回数を上回っている場合には、運転モードを暖房運転から送風運転に切り替えるか、または停止させ（図５のステップＳＡ６）、本処理を終了する。警告回数が所定回数以下であれば、図７に移行する。
【００５７】
また、冷房運転、除湿運転等の暖房運転以外の場合には、設定温度と室温との差が、所定温度差ΔＴｃより大きいか否かが判定される（図５のステップＳＡ４）。設定温度と室温との差が、所定温度差ΔＴｃ以下の場合には、ステップＳＡ１に戻る。設定温度と室温との差が、所定温度差ΔＴｃより大きい場合には、警告回数を１インクリメントするとともに、警告回数が所定回数を上回ったか否かが判定される（図５のステップＳＡ５）。警告回数が所定回数を上回っている場合には、運転モードを暖房運転から送風運転に切り替えるか、または停止させ（図５のステップＳＡ６）、本処理を終了する。警告回数が所定回数以下であれば図６に移行する。
【００５８】
冷房運転または除湿運転で、室温と設定温度との温度差が所定温度差ΔＴｃより大きく、警告回数が所定数以下の場合には、リモコン７において計数された警告回数の情報が提示される（図６のステップＳＢ１）。室内機３が設置されている部屋の向きが、冷房運転または除湿運転で空調負荷が大きくなる傾向である部屋の向きとして「南向き」か否かが判定される（図６のステップＳＢ２）。南向きであれば、外気温が、室温ＴｉＣ＋ΔＴｏＣ以上か否かが判定され（図６のステップＳＢ３）、外気温が、室温ＴｉＣ＋ΔＴｏＣ未満であれば、設定温度を調整量ΔＴｃｓ上げ、風量をΔＦｃｓ上げ（図６のステップＳＢ４）、図５のステップＳＡ１に戻る。外気温が、室温ＴｉＣ＋ΔＴｏＣ以上であれば、設定温度を（ΔＴｃｓ＜）調整量ΔＴｃｓｏ上げ、風量を（ΔＦｃｓ＜）調整量ΔＦｃｓｏ上げ（図６のステップＳＢ５）、図５のステップＳＡ１に戻る。
【００５９】
また、冷房運転または除湿運転で、部屋の向きが「南向き」以外である場合には、外気温が、室温ＴｉＣ＋ΔＴｏＣ以上か否かが判定される（図６のステップＳＢ６）。外気温が、室温ＴｉＣ＋ΔＴｏＣ未満である場合には、設定温度を調整量ΔＴｃｎ（＜ΔＴｃｓ）上げ、風量をΔＦｃｎ（＜ΔＦｃｓ）上げ（図６のステップＳＢ７）、図５のステップＳＡ１に戻る。また、外気温が室温ＴｉＣ＋ΔＴｏＣ以上である場合には、設定温度を調整量（ΔＴｃｎ＜）ΔＴｃｎｏ（＜ΔＴｃｓｏ）上げ、風量を（ΔＦｃｎ＜）ΔＦｃｎｏ（＜ΔＦｃｓｏ）上げ（図６のステップＳＢ８）、図５のステップＳＡ１に戻る。
【００６０】
暖房運転で、室温と設定温度との温度差が所定温度差ΔＴｈより大きく、警告回数が所定数以下の場合には、リモコン７において計数された警告回数の情報が提示される（図７のステップＳＣ１）。室内機３が設置されている部屋の向きが、暖房運転で空調負荷が大きくなる傾向である部屋の向きとして「北向き」か否かが判定される（図７のステップＳＣ２）。北向きであれば、外気温が、室温ＴｉＨ−ΔＴｏＨ未満か否かが判定され（図７のステップＳＣ３）、外気温が、室温ＴｉＨ−ΔＴｏＨ以上であれば、設定温度を調整量ΔＴｈｎ（＞ΔＴｈｓ）下げ、風量をΔＦｈｎ（＞ΔＦｈｓ）上げ（図７のステップＳＣ４）、図５のステップＳＡ１に戻る。外気温が、室温ＴｉＨ−ΔＴｏＨ未満であれば、設定温度を（ΔＴｈｎ＜）調整量ΔＴｈｎｏ下げ、風量を（ΔＦｈｎ＜）ΔＦｈｎｏ上げ（図７のステップＳＣ５）、図５のステップＳＡ１に戻る。
【００６１】
また、暖房運転で、部屋の向きが「北向き」以外である場合には、外気温が、室温ＴｉＨ−ΔＴｏＨ未満か否かが判定される（図７のステップＳＣ６）。外気温が、室温ＴｉＨ−ΔＴｏＨ以上である場合には、設定温度を調整量ΔＴｈｓ下げ、風量をΔＦｈｓ上げ（図７のステップＳＣ７）、図５のステップＳＡ１に戻る。また、外気温が室温ＴｉＨ−ΔＴｏＨ未満である場合には、設定温度を調整量（ΔＴｈｓ＜）ΔＴｈｓｏ（＜ΔＴｈｎｏ）下げ、風量を（ΔＦｈｓ＜）ΔＦｈｓｏ（＜ΔＦｈｎｏ）上げ（図７のステップＳＣ８）、図５のステップＳＡ１に戻る。
【００６２】
また、図５のステップＳＡ６において、警告回数が所定回数を上回った場合に、室内機３を送風運転又は停止していたが、再度運転を開始させる復帰のさせ方は、例えば、室温と設定温度の差が所定値以下になった場合に自動的に復帰させてもよいし、他の処理プログラム等によってスケジュールが組まれており動作すべき時刻になった場合に自動的に復帰させてもよいし、所定期間経過後に自動的に復帰させてもよいし、ユーザがボタン操作等を介して意図的に復帰させることとしてもよい。
【００６３】
以上説明してきたように、本実施形態に係る空気調和装置２の制御装置１０、及びそれを備えた空気調和装置２、並びに空気調和装置２の制御方法によれば、空気調和装置２の室外機近傍で検出された外気温の検出値に基づいて、空気調和装置２の室内機３の設定温度が、空調負荷を低減する温度に変更される。
夏季のように外気温が高ければ空気調和装置２が空調する室内の室内温度は高くなる傾向であり、冬季のように外気温が低ければ室内の室内温度は低くなる傾向であり、外気温と設定温度との差が大きい程空調負荷が大きくなる。このように、本発明は、空気調和装置２の空調負荷に直接影響するパラメータである外気温に応じて、空調負荷が低減する温度に設定温度を変更することにしたので、空気調和装置２による快適性を向上することができる。また、本発明により、不必要な空調を減らすことができ、省エネを推進する。
【００６４】
室内温度や温度変化は、夏季のような冷房運転時には部屋の方角が南側か否か、冬季のような暖房運転時には部屋の北側か否かに応じて異なるので、室内機３が設置される設置領域の方角（例えば、部屋の向きが冷房運転時に「南向き」か、暖房運転時に「北向き」か）に応じて設定温度の調整量を異ならせることにより、より快適性を向上させることができ、省エネを推進する。
また、室内機３が設置される部屋の室温と設定温度との温度差が所定温度差より大きくなった回数が所定回数より大きくなったか否かが判定され、所定回数より大きい回数となった場合に警告が出力され、警告に基づいて、設定温度が空調負荷を低減する温度に調整される。これにより、室温と設定温度との温度差が縮まっていない状況を確実に捉えることができる。
【００６５】
また、警告が所定回数を超えないうちに温度差が小さくなるような場合には、設定温度の調整がされないので、空気調和装置２による快適性を維持することができる。
設定温度を調整するか否かを判定するための所定外気温を、室外機４が設置される環境に応じた閾値に設定することにより、空気調和装置２の快適性の向上につながる。
また、部屋の大きさが大きいほど空調負荷が大きくなり、部屋の大きさが小さいほど空調負荷が小さくなることに着目し、部屋の大きさに応じて所定温度を異ならせることにより、部屋の大きさに応じた設定を適用でき、空気調和装置２の快適性向上につながる。
【００６６】
また、冷房運転では設定温度を上げる調整をし、暖房運転では設定温度を下げる調整をすることにより、調整後の設定温度は、調整前の設定温度より空調負荷が抑えられる方向に制御されている。これは、ユーザによって当初設定された設定温度より快適性を抑える方向に制御されることになるが、本実施形態によれば、設定温度の調整に応じて、設定温度の調整量に対応した風量の調整をも行っている。これにより、設定温度と室温との乖離が大きくなることを防ぎ、結果として空気調和装置２の快適性向上及び省エネ推進につながる。
また、上記実施形態においては、快適性をより向上させるために、設定温度の調整と併せて風量の調整を行うこととして説明していたが、これに限定されず、図３及び図４に示した各パターン間における調整量の大小関係に基づいて、設定温度の調整のみを行うこととしても良いし、風量の調整のみを行うこととしてもよい。
【００６７】
［変形例］
上記実施形態においては、外気温等の情報に基づいて制御装置１０が設定温度を変更することとして説明していたが、設定温度の調整方法はこれに限定されない。例えば、制御装置１０において、上述した方法によって設定温度の調整量が決定された場合に、リモコン７の表示装置等を介してユーザに調整量を提示して知らせ、調整してよいかどうかを「はい」「いいえ」等のボタンでユーザに選定させ、その選定結果に応じて設定温度の調整を行うか否かを最終的に決定することとしてもよい。
このようなユーザに選定させる割り込み機能を持たせることにより、快適性の向上につながる。
【００６８】
以上、本発明の実施形態について図面を参照して詳述してきたが、具体的な構成はこの実施形態に限られるものではなく、本発明の要旨を逸脱しない範囲の設計変更なども含まれる。
【符号の説明】
【００６９】
１  空調システム
２  空気調和装置
３Ａ，３Ｂ  室内機
４Ａ，４Ｂ  室外機
７Ａ，７Ｂ  リモコン
９  遠隔制御装置
１０Ａ，１０Ｂ  制御装置
１１Ａ，１１Ｂ  室温センサ
１２Ａ，１２Ｂ  風量設定部
１３Ａ，１３Ｂ  室内温度設定部
２０Ａ，２０Ｂ  外気温センサ
２１  温度差判定部
２２  警告部
２３  時間判定部
２４  回数判定部
２５  外気温判定部
２６  格納部
２７  調整部
【図１】
2017146045.tif 000003
【図２】
2017146045.tif 000004
【図３】
2017146045.tif 000005
【図４】
2017146045.tif 000006
【図５】
2017146045.tif 000007
【図６】
2017146045.tif 000008
【図７】
2017146045.tif 000009